(57)【要約】【課題】スケジュールデータを二元化することなく、携帯端末のスケジュールをオフィス環境においても容易に参照可能なスケジュール表示方法およびスケジュール表示可能なＩＰ電話端末を提供する。【解決手段】ＩＰ電話端末（１０）は、ＰＤＡ（２０）に接続してデータ通信を行う為のコネクタ部（５００）およびＰＤＡ（２０）への給電およびＰＤＡ（２０）に装着される充電用電池（２６）の充電が可能なクレードル部（４０）を保持し、ＰＤＡ（２０）がクレードル部（４０）に収容されると、ＰＤＡ（２０）およびＩＰ電話端末（１０）は、双方の接続を検出してデータ通信を開始し、ＰＤＡ（２０）は、ＰＤＡフラッシュメモリ（２９）に記憶された有効なスケジュールデータをＩＰ電話端末（１０）に送信し、ＩＰ電話端末（１０）のＬＣＤ表示制御部（１８）は、受信したスケジュールデータをＬＣＤ表示部（３７）に表示する。【選択図】  図１
2004336140.tif 000002
【特許請求の範囲】
【請求項１】
音声をデジタル信号に変換し、ＴＣＰ／ＩＰプロトコルによるパケット伝送にて通信を行うＩＰ電話端末におけるスケジュール表示方法において、
スケジュール管理機能を有する携帯端末を前記ＩＰ電話端末に着脱可能に接続し、
前記携帯端末を前記ＩＰ電話端末に接続した状態において、該携帯端末は該ＩＰ電話端末と通信を行うことにより該携帯端末の有する前記スケジュール管理機能により管理されているスケジュールデータを該ＩＰ電話端末に送信し、
前記ＩＰ電話端末は前記携帯端末から送信されたスケジュールデータを該ＩＰ電話端末の表示器に表示する
ことを特徴とするスケジュール表示方法。
【請求項２】
前記携帯端末は、充電可能な電池を電源として動作するものであり、
該携帯端末を前記ＩＰ電話端末に接続した状態において、該ＩＰ電話端末からの電源供給により該携帯端末の電池を充電する充電動作を行なう
ことを特徴とする請求項１記載のスケジュール表示方法。
【請求項３】
前記携帯端末は、前記ＩＰ電話端末に接続した状態において、該ＩＰ電話端末と通信を行うことにより該ＩＰ電話端末の固体識別を行い、
該固体識別により該ＩＰ電話端末があらかじめ許可されたＩＰ電話端末に該当する場合に前記スケジュールデータを該ＩＰ電話端末に送信する
ことを特徴とする請求項１記載のスケジュール表示方法。
【請求項４】
前記ＩＰ電話端末は、前記携帯端末が接続された状態において、該携帯端末と通信を行うことにより該携帯端末に記録された個人情報を取得し、
該取得した個人情報に基づき該ＩＰ電話端末の使用者認証を行う
ことを特徴とする請求項１記載のスケジュール表示方法。
【請求項５】
音声をデジタル信号に変換し、ＴＣＰ／ＩＰプロトコルによるパケット伝送にて通信を行うＩＰ電話端末において、
スケジュール管理機能を有する携帯端末を接続可能に接続する接続手段と、
前記携帯端末を接続した状態において、該携帯端末と通信を行う通信手段と、
前記通信手段による通信により前記携帯端末から送信された該携帯端末の有する前記スケジュール管理機能により管理されているスケジュールデータを受信するスケジュールデータ受信手段と、
前記スケジュールデータ受信手段で受信したスケジュールデータを表示する表示手段と
を具備することを特徴とするＩＰ電話端末。
【請求項６】
前記接続手段は、
前記携帯端末を収容固定可能に構成されたクレードル構造と、
該クレードル構造内に該クレードル構造と一体して設けられ前記携帯端末と通信可能に接続するコネクタと
を具備することを特徴とする請求項５記載のＩＰ電話端末。
【請求項７】
前記携帯端末を前記接続手段により接続した状態において、前記携帯端末への給電により該携帯端末の電池を充電する充電制御手段
を更に具備することを特徴とする請求項５記載のＩＰ電話端末。
【請求項８】
前記通信手段による通信により前記接続手段により接続された携帯端末に記録された個人情報を取得し、該取得した個人情報に基づき該ＩＰ電話端末の使用者認証を行う使用者認証手段
を更に具備することを特徴とする請求項５記載のＩＰ電話端末。
【発明の詳細な説明】
【０００１】
【発明の属する技術分野】
この発明は、インターネットもしくはイントラネットを使用して音声をパケット通信にて伝送するＩＰ電話端末およびＩＰ電話端末の表示方法に関し、特に、ＩＰ電話端末に接続された携帯端末が保持するスケジュールの表示方法およびスケジュールを表示するＩＰ電話端末に関する。
【０００２】
【従来の技術】
近年音声をデジタル信号に変換し、ＴＣＰ／ＩＰプロトコルによるパケット伝送にて通信を行うＩＰ電話端末がオフィス環境へ急速に普及している。
【０００３】
ＩＰ電話端末は、ＴＣＰ／ＩＰプロトコルを使用する技術特性から、高性能のＣＰＵと大容量のメモリが搭載され、ＩＰ電話端末のソフトウェアは、オペレーティングシステムに基づくプロトコルスタック処理が要求される。
【０００４】
このため、ＰＣや携帯情報機器と類似の構成により、ネットワーク接続された他の端末とも高い親和性をもつことが可能である。
【０００５】
一方、ビジネスにおけるスケジュール管理は、モバイル環境では携帯情報機器または携帯電話のスケジュール管理アプリケーションを使用し、オフィス環境においてはＰＣのスケジュール管理アプリケーションを使い分けて行われている。
【０００６】
その為、モバイル環境とオフィス環境との間で二元化されたスケジュールデータは相互補完を必要とする。
【０００７】
このような問題を解決する従来の技術として、特許文献１記載の「外部情報端末連携型電話番号情報管理システム」がある。
【０００８】
この特許文献１の発明は、オフイス用電話交換機のメモリ、ＰＤＡ（Ｐｅｒｓｏｎａｌ  Ｄｉｇｉｔａｌ（Ｄａｔａ）  Ａｓｓｉｓｔａｎｔｓ）のメモリなどに分散されて記憶、管理されている個人データを相互に補完することを目的とし、ＰＤＡと電話機との間を着脱容易な構造にし、ＰＤＡが内線電話機に接続されたことを、その内線電話機を介して検知したオフィス用電話交換機のＣＰＵは、メモリ内容の相互補完を制御するプログラムを起動し、ＰＤＡ内のメモリと電話交換機内のメモリとの相互補完を自動的に実行するものである。
【０００９】
【特許文献１】
特開２００１−９４６６７号公報。
【００１０】
【発明が解決しようとする課題】
しかし、特許文献１の発明は、オフィス用の電話交換機と各個人が保有するＰＤＡのデータを相互補完することを主目的としている為、オッフィスでの在席時間が殆どなく、相互補完が頻繁に発生しない、もしくは全く必要のないユーザにとっては、ＰＣとＰＤＡの端末にてスケジュールデータを二元化して持つメリットが少ない。
【００１１】
また、オフィスに在席する時間帯のスケジュールをユーザが参照する場合、ビジネスアプリケーションの作業の合間に、スケジュール管理アプリケーションの画面に切替えて操作を行うよりも、ＰＤＡのスケジュール機能を利用するだけで十分な場合もある。
【００１２】
しかし、在席中にＰＤＡを個別に使用することは、ＰＤＡ接続機能があるＩＰ電話端末を有効活用できないといった問題が生じる。
【００１３】
そこで、この発明は、スケジュールデータを二元化することなく、オフィス環境において携帯端末のスケジュールデータを容易に参照可能なスケジュール表示方法およびスケジュール表示可能なＩＰ電話端末を提供することを目的とする。
【００１４】
【課題を解決するための手段】
上記問題を解決する為に、請求項１の発明は、音声をデジタル信号に変換し、ＴＣＰ／ＩＰプロトコルによるパケット伝送にて通信を行うＩＰ電話端末におけるスケジュール表示方法において、スケジュール管理機能を有する携帯端末をＩＰ電話端末に着脱可能に接続し、携帯端末をＩＰ電話端末に接続した状態において、携帯端末はＩＰ電話端末と通信を行うことにより携帯端末の有するスケジュール管理機能により管理されているスケジュールデータをＩＰ電話端末に送信し、ＩＰ電話端末は携帯端末から送信されたスケジュールデータをＩＰ電話端末の表示器に表示することを特徴とする。
【００１５】
また、請求項２の発明は、請求項１の発明において、携帯端末は、充電可能な電池を電源として動作するものであり、携帯端末をＩＰ電話端末に接続した状態において、ＩＰ電話端末からの電源供給により携帯端末の電池を充電する充電動作を行なうことを特徴とする。
【００１６】
また、請求項３の発明は、請求項１の発明において、携帯端末は、ＩＰ電話端末に接続した状態において、ＩＰ電話端末と通信を行うことによりＩＰ電話端末の固体識別を行い、固体識別によりＩＰ電話端末があらかじめ許可されたＩＰ電話端末に該当する場合にスケジュールデータをＩＰ電話端末に送信することを特徴とする。
【００１７】
また、請求項４の発明は、請求項１の発明において、ＩＰ電話端末は、携帯端末が接続された状態において、携帯端末と通信を行うことにより携帯端末に記録された個人情報を取得し、取得した個人情報に基づきＩＰ電話端末の使用者認証を行うことを特徴とする。
【００１８】
また、請求項５の発明は、音声をデジタル信号に変換し、ＴＣＰ／ＩＰプロトコルによるパケット伝送にて通信を行うＩＰ電話端末において、スケジュール管理機能を有する携帯端末を接続可能に接続する接続手段と、携帯端末を接続した状態において、携帯端末と通信を行う通信手段と、通信手段による通信により携帯端末から送信された携帯端末の有するスケジュール管理機能により管理されているスケジュールデータを受信するスケジュールデータ受信手段と、スケジュールデータ受信手段で受信したスケジュールデータを表示する表示手段とを具備することを特徴とする。
【００１９】
また、請求項６の発明は、請求項５の発明において、接続手段は、携帯端末を収容固定可能に構成されたクレードル構造と、クレードル構造内にクレードル構造と一体して設けられ携帯端末と通信可能に接続するコネクタとを具備することを特徴とする。
【００２０】
また、請求項７の発明は、請求項５の発明において、携帯端末を接続手段により接続した状態において、携帯端末への給電により携帯端末の電池を充電する充電制御手段を更に具備することを特徴とする。
【００２１】
また、請求項８の発明は、請求項５の発明において、通信手段による通信により接続手段により接続された携帯端末に記録された個人情報を取得し、取得した個人情報に基づきＩＰ電話端末の使用者認証を行う使用者認証手段を更に具備することを特徴とする。
【００２２】
【発明の実施の形態】
以下、この発明に係わるスケジュール表示方法およびスケジュール表示可能なＩＰ電話端末の実施の形態を添付図面を参照して詳細に説明する。
【００２３】
図１は、この発明に係わるＩＰ電話端末１０とＩＰ電話端末１０のクレードル部４０に収容されたＰＤＡ２０の外観図である。
【００２４】
図１において、ＩＰ電話端末１０は、ＬＣＤ表示部３７、受話器３５、キー／キーパッド３６、マイク３４、スピーカ３３、クレードル部４０を具備して構成される。
【００２５】
図１に示したＩＰ電話端末１０とＰＤＡ２０において、ＰＤＡ２０は、ＩＰ電話端末４０のクレードル部４０への収容を検出すると、ＩＰ電話端末１０の固体認証を行う。
【００２６】
また、ＩＰ電話端末１０は、クレードル部４０へ収容されたＰＤＡ２０の利用者認証を行う。
【００２７】
そして、ＰＤＡ２０は、有効なスケジュールの開始予定時刻に到達すると、スケジュールの内容をＩＰ電話端末１０に送信してＬＣＤ表示部３７への表示を行うものである。
【００２８】
ＬＣＤ表示部３７は、発信時、着信時の電話番号を始め、ＩＰ電話端末１０のフラッシュメモリ１２に登録されているアドレス帳、現在時刻等、ＩＰ電話端末１０の諸機能に対応したモノクロでの文字表示を行う。
【００２９】
受話器３５は、通話時における送話音声のＩＰ電話端末１０への入力、受話音声のオペレータへの出力を行う。
【００３０】
キー／キーパッド３６は、オペレータが、通話時の電話番号の入力を始め、ＩＰ電話端末１０に対してデータ入力を行うための入力装置である。
【００３１】
マイク３４は、ＩＰ電話端末１０のオペレータがハンズフリー通話、音声認識処理でのＩＰ電話端末１０の操作を行うため音声入力装置である。
【００３２】
クレードル部４０は、携帯電話機、ＰＤＡ等の携帯端末をＩＰ電話端末１０に収容して接続するためのクレードル構造をもち、収容された機器とのデータ通信、収容された機器に対して給電および充電を行う。
【００３３】
次に、ＩＰ電話端末１０のクレードル部４０についてさらに説明する。
【００３４】
図２は、この発明に係わるＩＰ電話端末１０のクレードル部４０の構造を一部透過的に示した斜視図である。
【００３５】
図２において、クレードル部４０は、ＰＤＡ、携帯電話機等をＩＰ電話端末１０のオペレータに対して、所定の傾斜角４２を持たせて収容するためのクレードル構造を有している。
【００３６】
また、クレードル部４０の底には、収容機器とＩＰ電話端末１０を接続するためのコネクタ部５００が配設されている。
【００３７】
さらに、クレードル部４０の各側面には、収容機器の挿入動作において、収容機器のコネクタ部５００とＩＰ電話端末１０のコネクタ部５００との結合を確実かつスムーズに誘導するためのリブ４１が設けられている。
【００３８】
次に、クレードル部４０のコネクタ部５００についてさらに説明する。
【００３９】
図３は、この発明に係わるＩＰ電話端末１０のクレードル部４０に配設されるコネクタ部５００のピンアサインの一例を示す拡大図である。
【００４０】
図３は、コネクタ部５００にアサインされたピンの数が１１個の場合の例を示した図であり、順にピン１、ピン２、．．．、ピン１１と名称を付して説明する。
【００４１】
ピン１、ピン１１は、主要機器に対して充電処理を行う際に電力を供給するピンであり、充電用電源（＋）側、充電用電源（−）側がそれぞれアサインされる。
【００４２】
ピン２は、送信データの信号線がアサインされる。
【００４３】
ピン３、ピン４は、ＩＰ電話端末１０が収容機器に対してデータを送信する２本の制御信号線がアサインされる。
【００４４】
ピン５、ピン６は、ＩＰ電話端末１０が収容機器に対してデータ受信する２本の制御信号がアサインされる。
【００４５】
ピン７は、受信データの信号線がアサインされる。
【００４６】
ピン８は、信号線のグランド用としてアサインされる。
【００４７】
ピン９、ピン１０は、コネクタ部５００を介して接続される機器との間において、相互の接続を検出するためのコネクタ接続信号を入出力する線がアサインされる。
【００４８】
なお、図３に示したピンの数および各ピンにアサインした信号線の内容は、この構成に限定されず、コネクタ部５００に接続された機器とのデータ通信方式に応じて適宜変更可能であり、また、接続機器に対する充電処理が行われるものであれば、このピンアサインに限定されるものではない。
【００４９】
次に、ＩＰ電話端末１０の制御構成について説明する。
【００５０】
図４は、この発明に係わるＩＰ電話端末１０の制御構成を示すブロック図である。
【００５１】
図４において、ＩＰ電話端末１０は、ＩＰ電話端末ＣＰＵ１１、フラッシュメモリ１２、Ｄ−ＲＡＭ１３、外部機器インタフェース１４、ＤＳＰ１５、ＣＯＤＥＣ１６、Ｉ／Ｏコントローラ１７、ＬＣＤ表示制御部１８、ネットワークインタフェース１９を具備して構成される。
【００５２】
ＩＰ電話端末ＣＰＵ１１は、ＩＰ電話端末１０の各制御ブロック間のデータ伝送を制御し、各種制御プログラムを実行する。
【００５３】
フラッシュメモリ１２は、書換え可能なＲＯＭであり、ＩＰ電話端末１０の各種制御プログラム、制御用パラメータを記憶する。
【００５４】
Ｄ−ＲＡＭ１３は、ＩＰ電話端末１０を制御するためのロードされたプログラムおよび一時的な処理データを記憶する。
【００５５】
外部機器インタフェース１４は、調歩同期式シリアル転送を行うＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を含み、接続コネクタを介して接続する外部機器とのデータ伝送制御および、給電および充電の為の電力供給処理を行う。
【００５６】
ＤＳＰ１５は、転送レートの高いデータ（音声データ）をリアルタイムで処理する。
【００５７】
ＣＯＤＥＣ１６は、マイク３４もしくは受話器３５から入力された音声信号をアナログ信号からデジタルデータに変換したり、また、その逆に、ＤＳＰ１５から出力されたデジタル音声信号をアナログ変換してスピーカ３３もしくは受話器３５に出力する。
【００５８】
Ｉ／Ｏコントローラ１７は、キー／キーパット３６におけるオペレータの入力操作を検出して、検出信号をＩＰ電話端末ＣＰＵ１１に送信する。
【００５９】
ＬＣＤ表示制御部１８は、ＬＣＤ表示部３７に接続し、ＩＰ電話端末１０の制御プログラム、アプリケーションプログラムの表示データをＬＣＤ表示部３７に出力する。
【００６０】
ネットワークインタフェース１９は、ＬＡＮ７０に接続された各機器との通信制御を行う。
【００６１】
次に、ＩＰ電話端末１０のクレードル部４０に収容されるＰＤＡ２０の制御構成を示して説明する。
【００６２】
図５は、この発明に係わるＩＰ電話端末１０のクレードル部４０に収容して接続されるＰＤＡ２０の制御構成を示すブロック図である。
【００６３】
図５において、ＰＤＡ２０は、ＰＤＡＣＰＵ２７、ＰＤＡＤ−ＲＡＭ２８、ＰＤＡフラッシュメモリ２９、メモリカードインタフェース２１、ＰＤＡ表示制御部２２、ＰＤＡＩ／Ｏコントローラ２３、ＰＤＡ外部機器インタフェース２４、充電回路２５、充電用電池２６にて構成される。
【００６４】
ＰＤＡＣＰＵ２７は、ＰＤＡ２０における各制御ブロック間のデータ伝送を制御し、各種制御プログラムを実行する。
【００６５】
ＰＤＡフラッシュメモリ２９は、書換え可能なＲＯＭであり、スケジュール管理プログラムを含むＰＤＡ２０の各種制御プログラム、制御用パラメータ、スケジュールデータ、ＰＤＡ２０を使用するユーザ情報、接続可能な外部機器の固体識別を行うための固体識別情報を記憶する。
【００６６】
ＰＤＡＤ−ＲＡＭ２８は、ＰＤＡ２０の制御処理におけるロードプログラムおよび制御データ等の一時的なデータを記憶するメモリである。
【００６７】
ＰＤＡ外部機器インタフェース２４は、調歩同期式シリアル転送を行うＵＡＲＴを含み、ＰＤＡ接続コネクタ３８を介して接続する外部機器とのデータ伝送制御を行う。
【００６８】
また、ＰＤＡ接続コネクタ３８は、クレードル部４０のコネクタ部５００にアサインされたピンのうち充電処理を行うための充電用電源（＋）、充電用電源（−）ピンからの電流を接続された充電回路２５に供給する。
【００６９】
充電回路２５は、ＰＤＡ接続コネクタ３８を介してＩＰ電話端末１０から供給された充電用電源に基づいて充電用電池２６の充電を行う。
【００７０】
ＰＤＡ表示制御部２２は、タッチパネル式ＬＣＤ表示部３１に接続し、表示用データを作成してタッチパネル式ＬＣＤ表示部３１に出力する。
【００７１】
ＰＤＡＩ／Ｏコントローラ２３は、タッチパネル式ＬＣＤ表示部３１および、ＰＤＡキー／キーパッド３２に接続し、タッチパネル式ＬＣＤ表示部３１からのタッチ入力操作、ＰＤＡキー／キーパッド３２の入力操作を検出し、検出信号をＰＤＡＣＰＵ２７に出力する。
【００７２】
メモリカードインタフェース２１は、メモリカード３０等の外部記憶媒体を装着し、ＰＤＡ２０本体との間において、データの入出力を行う。
【００７３】
次に、ＰＤＡ２０のフラッシュメモリに記憶されるスケジュール情報６０について説明する。
【００７４】
図６は、この発明に係わるＩＰ電話端末１０に接続されるＰＤＡ２０のフラッシュメモリに記憶されるスケジュール情報６０の例を示すテーブルレイアウト図である。
【００７５】
図６において、スケジュール情報６０の管理項目は、スケジュール内容６１、有効フラグ６２、開始予定時刻６４、終了予定時刻６５を管理する。
【００７６】
スケジュール内容６１は登録されたスケジュールの内容を示す項目であり、ユーザがＰＤＡ２０のスケジュール管理プログラムを用いて登録されたデータである。
【００７７】
有効フラグ６２は、登録されたスケジュールデータ毎の状態を管理する項目であり、例えば、ユーザの操作に基づいて、登録データを削除せずにスケジュールのを無効にする場合や、データ転送済みの情報など、スケジュール管理プログラムの仕様に基づいて適宜設定、更新されるフラグである。
【００７８】
また、スケジュールの内容が、所定の相手先への電話、メール送信等のアクションを伴う場合に、ＰＤＡ２０フラッシュメモリに記憶された電話帳と連携して連絡先６３を管理するために電話帳のＩＤを必要に応じて設定する項目である。
【００７９】
開始予定時刻６４、終了予定時刻６５は、登録されたスケジュールの予定時間帯を設定して管理する項目である。
【００８０】
次に、図１に示したＩＰ電話端末１０およびＰＤＡ２０がＩＰ電話システムの構成機器として組み込まれた時の構成例を示し、ＩＰ電話端末１０およびＰＤＡ２０におけるスケジュール表示処理について説明する。
【００８１】
図７は、この発明に係わるＩＰ電話端末１０を含んで構成されるＩＰ電話システムのネットワーク構築例を示すシステム構成図である。
【００８２】
図７において、ＩＰ電話システムは、ＩＰ電話交換機７１、認証サーバ７３、複数のＩＰ電話端末１０がＬＡＮ７０に接続されており、また、ＬＡＮ７０はルータ７４によりＷＡＮ７５に接続されて構成される。
【００８３】
認証サーバ７３は、ＬＡＮ７０に接続された各ＩＰ電話端末の利用者認証のための照合データを認証ＤＢに記憶して管理している。
【００８４】
また、認証サーバ７３は、ＬＡＮ７０もしくはＷＡＮ７５に接続されたＩＰ電話端末からの問合せにより認証ＤＢを参照して認証を行い、認証結果を送信元のＩＰ電話端末に送信する。
【００８５】
ＩＰ電話交換機７１は、ＬＡＮ７０を介して接続されたＩＰ電話端末からの呼接続要求に基づいて、通話相手となるＬＡＮ７０もしくはＷＡＮ７５に接続されたＩＰ電話端末との間において、通話制御を行う。
【００８６】
図８は、この発明に係わるＩＰ電話端末１０とＩＰ電話端末１０のクレードル部４０に収容されたＰＤＡ２０との間において、ＰＤＡ２０のクレードルへの収容からＩＰ電話端末１０へのスケジュール表示までの処理手順の一例を示したシーケンス図である。
【００８７】
なお、図８においては、ＩＰ電話端末１０のクレードル部４０に収容されるＰＤＡ２０、携帯電話機等の携帯端末を収容機器と称して説明する。
【００８８】
図８において、収容機器がＩＰ電話端末１０のクレードル部４０に収容される（ステップＳ１０１）と、ＩＰ電話端末１０は、クレードル部４０のコネクタ部５００における接続検出用ピンを介してコネクタ接続信号を検出することにより、収容機器が収容されたことを検出する（ステップＳ１０２）。
【００８９】
ＩＰ電話端末１０は、クレードル部４０に収容された収容機器に対し、送信制御信号がアサインされたピンを介し収容機器に対する接続確認信号を出力する。
【００９０】
接続確認信号を受信した収容機器は、ＩＰ電話端末１０との間において接続制御を行う接続制御プログラムを起動し、接続確認信号に対する接続応答信号をクレードル部４０の受信制御信号がアサインされたピンを介してＩＰ電話端末１０に接続応答信号を出力する。（ステップＳ１０３）。
【００９１】
また、収容機器側においても、クレードル部４０を介してＩＰ電話端末１０からのコネクタ接続信号を検出すると、収容機器側からみて送信制御信号がアサインされたピンを介しＩＰ電話端末１０に対して接続確認信号を出力する。
【００９２】
接続確認信号を受信したＩＰ電話端末１０は、接続確認信号に対する接続応答信号をクレードル部４０の受信制御信号がアサインされたピンを介してＩＰ電話端末１０に接続応答信号を出力し、収容機器は、ＩＰ電話端末１０とのデータ伝送制御の準備を開始する（ステップＳ１０４）。
【００９３】
収容機器は、接続応答信号を受信すると、ＩＰ電話機１０の固体認証を行うプログラムを起動し（ステップＳ１０５）、機器ＩＤの送信を要求する制御信号をＩＰ電話端末に対して送信する。
【００９４】
機器ＩＤの要求信号を受信したＩＰ電話端末１０は、フラッシュメモリ１２から機器ＩＤを取得して（ステップＳ１０６）、収容端末に機器ＩＤ応答を送信する。
【００９５】
収容端末は、受信した機器ＩＤ応答からＩＰ電話端末１０の機器ＩＤを抽出し、抽出した機器ＩＤの照合確認を収容機器側のフラッシュメモリに記憶した認証用データおよび固体認証プログラムにて行う（ステップＳ１０７）。
【００９６】
固体認証処理が完了した収容機器は、照合確認応答をＩＰ電話端末１０に送信する。
【００９７】
ＩＰ電話端末１０は、収容機器からの認証許可を受信すると、利用者認証プログラムを起動し（ステップＳ１０８）、収容機器に対して、ユーザＩＤおよびパスワードを含む利用者情報の送信を要求する送信データを作成して収容機器に出力する。
【００９８】
利用者情報の送信要求を受信した収容機器は、フラッシュメモリに記憶されたユーザＩＤ、パスワードを含む利用者情報を取得して利用者情報の送信準備を行い（ステップＳ１０９）、コネクタ部５００を介してＩＰ電話端末１０に対して、利用者情報を送信する。
【００９９】
利用者情報を受信したＩＰ電話端末１０は、受信データからユーザＩＤ、パスワードを抽出し、認証サーバ７３に対してユーザＩＤの照合を行う（ステップＳ１１０）。
【０１００】
認証サーバ７３にて利用者情報が認証されると、ＩＰ電話端末１０は、認証許可応答を収容機器に送信する。
【０１０１】
認証許可の応答を受信した収容機器は、スケジュール管理プログラムを起動する（ステップＳ１１１）。
【０１０２】
収容機器のスケジュール管理プログラムは、フラッシュメモリ内のスケジュール情報６０を参照し、登録されたスケジュールデータの有効フラグ６２をチェックし、有効データがある場合には、スケジュールデータ通知処理にて、開始予定時刻６４の到達を検出してスケジュールデータをＩＰ電話端末１０に送信する（ステップＳ１１２）。
【０１０３】
スケジュールデータを受信したＩＰ電話端末１０は、受信したスケジュールデータをＩＰ電話端末１０のＬＣＤ表示部３７に出力する（ステップＳ１１３）。
【０１０４】
次に、図８のシーケンス図で示したＩＰ電話端末１０における利用者認証処理について説明する。
【０１０５】
図９は、この発明に係わるＩＰ電話端末１０における利用者認証処理の処理手順を示すフローチャートである。
【０１０６】
図９において、ＩＰ電話端末１０の利用者認証処理プログラムは、クレードル部４０に収容された収容機器のＣＰＵに対してユーザＩＤ、パスワード情報を含む利用者情報の送信を要求する（ステップＳ２０１）。
【０１０７】
利用者認証処理プログラムは、収容機器から送信された利用者情報からユーザＩＤ、パスワードを抽出して解析する（ステップＳ２０２）。
【０１０８】
受信した利用者情報からユーザＩＤ、パスワードが正しく抽出出来た場合（ステップＳ２０３でＹＥＳ）、利用者認証処理プログラムは、認証サーバ７３に対し、抽出したユーザＩＤ、パスワードを含む利用者情報を送信してユーザＩＤの照合を依頼する（ステップＳ２０６）。
【０１０９】
また、受信した利用者情報からユーザＩＤ、パスワードが正しく抽出出来なかった場合（ステップＳ２０３でＮＯ）、利用者認証処理プログラムは、ユーザＩＤ、パスワードの入力要求を、収容端末に送信する（ステップＳ２０４）。
【０１１０】
収容端末からユーザＩＤ、パスワードが入力された場合（ステップＳ２０５でＹＥＳ）、利用者認証処理プログラムは、ネットワークインタフェース１９を介してＬＡＮ７０に接続された認証サーバ７３に対し、入力されたユーザＩＤ、パスワードを含む利用者情報を送信してユーザＩＤの照合を依頼する（ステップＳ２０６）。
【０１１１】
利用者認証処理プログラムは、認証サーバ７３からの照合結果を受信し、照合結果に応じて、ユーザＩＤの認証結果の応答データを作成し、クレードル部４０のコネクタ部５００を介して収容機器に送信する（ステップＳ２０７）。
【０１１２】
次に、収容機器におけるスケジュール通知処理プログラムについて説明する。
【０１１３】
図１０は、この発明に係わるＩＰ電話端末１０のクレードル部４０に装着された収容機器におけるスケジュール通知処理の処理手順を示すフローチャートである。
【０１１４】
図１０において、スケジュール通知処理プログラムは、収容機器のフラッシュメモリに記憶された各スケジュールデータの有効フラグ６２を参照し、有効なスケジュールデータの有無を判断する（ステップＳ３０１）。
【０１１５】
有効なスケジュールデータが登録されていない場合は（ステップＳ３０１でＮＯ）、スケジュール通知処理プログラムは処理を終了する。
【０１１６】
有効なスケジュールデータが登録されている場合（ステップＳ３０１でＹＥＳ）、スケジュール通知処理プログラムは、収容機器の内部時計に基づいて現在時刻を取得する（ステップＳ３０２）。
【０１１７】
スケジュール通知処理プログラムは、ステップＳ３０２で取得した現在時刻と、スケジュールデータの通知タイミングを調整するために、フラッシュメモリ等の記憶手段に予め設定され調整時間（例えば、３０分）を取得し、現在時刻が、有効なスケジュールデータの開始予定時刻６４からこの調整時間で調整した時刻を比較する（ステップＳ３０３）。
【０１１８】
現在時刻と調整時間により補正された開始予定時刻が一致しない場合（ステップＳ３０４でＮＯ）、スケジュール通知処理プログラムは、ステップＳ３０２に戻り、ステップ３０３で補正した開始予定時刻６４の到達までの時間監視を繰り返して行う。
【０１１９】
現在時刻と調整時間により補正された開始予定時刻が一致した場合（ステップＳ３０４でＹＥＳ）、スケジュール通知処理プログラムは、現在時刻と開始予定時刻６４が一致したスケジュールデータを外部機器インタフェースおよびクレードル部４０のコネクタ部５００を介してＩＰ電話端末１０に送信する（ステップＳ３０５）。
【０１２０】
スケジュール通知処理プログラムは、ＩＰ電話端末１０からスケジュールデータの受信応答を受信すると、送信したスケジュールデータの有効フラグ６２をＯＦＦに更新する（ステップＳ３０６）。
【０１２１】
なお、ステップＳ３０２における現在時刻の取得方法は、ＩＰ電話端末１０の時計機能に基づいて、ＩＰ電話端末１０から受信して取得する構成にすることも可能である。
【０１２２】
また、ＬＡＮ７０上あるいはＷＡＮ７５にタイムサーバを追加して、ＩＰ電話端末１０が定期的にカレンダ情報（日付、曜日）を受信する構成を追加し、スケジュール通知処理プログラムは、ＩＰ電話端末１０から受信したカレンダ情報に基づいて、送信するスケジュールデータの曜日および日付のチェックを行う構成にすることも可能である。
【０１２３】
以上が、この発明に係わる実施の形態の例として、図１に示したＩＰ電話端末１０およびＩＰ電話端末１０に接続可能な携帯端末におけるスケジュール表示方法の説明である。
【０１２４】
なお、上記以外の構成として、ＩＰ電話端末１０のクレードル部４０に収容される携帯端末は、ＰＤＡ２０以外に、スケジュール機能を備え、外部接続コネクタによりスケジュールデータのデータ通信が可能な携帯電話機においてもこの発明を適用することができる。
【０１２５】
また、図７に示した、認証サーバ７３の認証機能および認証ＤＢは、ＩＰ電話端末１０に含んで構成され、ＩＰ電話端末１０自身が収容機器および利用者の認証を行う構成にしてもよい。
【０１２６】
【発明の効果】
以上説明したようにこの発明によれば、ＩＰ電話端末のクレードル部に収容するのみで、ＰＤＡ、携帯電話機等の携帯端末が保有するスケジュールをＩＰ電話端末の表示部に表示することができ、同時に、収容機器の給電および充電を行うことができる。
【０１２７】
これにより、スケジュール管理機能を持つ携帯端末において、オフィス環境においても利便性の高い使用環境を提供できるといった効果を奏する。
【図面の簡単な説明】
【図１】この発明に係わるＩＰ電話端末とＩＰ電話端末のクレードル部に収容されたＰＤＡの外観図である。
【図２】この発明に係わるＩＰ電話端末のクレードル部の構造を一部透過的に示した斜視図である。
【図３】この発明に係わるＩＰ電話端末のクレードル部に配設されるコネクタ部のピンアサインの一例を示す拡大図である。
【図４】この発明に係わるＩＰ電話端末の制御構成を示すブロック図である。
【図５】この発明に係わるＩＰ電話端末に接続されるＰＤＡの制御構成を示すブロック図である。
【図６】この発明に係わるＩＰ電話端末に接続されるＰＤＡのフラッシュメモリに記憶されるスケジュールデータの例を示すテーブルレイアウト図である。
【図７】この発明に係わるＩＰ電話端末を含んで構成されるＩＰ電話システムのネットワーク構築例を示すシステム構成図である。
【図８】この発明に係わるＩＰ電話端末とＩＰ電話端末のクレードルに収容された機器との間において、クレードルへの収容からＩＰ電話端末におけるスケジュールデータの表示までの処理手順の一例を示したシーケンス図である。
【図９】この発明に係わるＩＰ電話端末における利用者認証処理の処理手順を示すフローチャートである。
【図１０】この発明に係わるＩＰ電話端末のクレードル部に装着された収容機器におけるスケジュール通知処理の処理手順を示すフローチャートである。
【符号の説明】
１０    ＩＰ電話端末
１１    ＩＰ電話端末ＣＰＵ
１２    フラッシュメモリ
１３    Ｄ−ＲＡＭ
１４    外部機器インタフェース
１５    ＤＳＰ
１６    ＣＯＤＥＣ
１７    Ｉ／Ｏコントローラ
１８    ＬＣＤ表示制御部
１９    ネットワークインタフェース
２０    ＰＤＡ
２１    メモリカードインタフェース
２２    ＰＤＡ表示制御部
２３    ＰＤＡＩ／Ｏコントローラ
２４    ＰＤＡ外部機器インタフェース
２５    充電回路
２６    充電用電池
２７    ＰＤＡＣＰＵ
２８    ＰＤＡＤ−ＲＡＭ
２９    ＰＤＡフラッシュメモリ
３０    メモリカード
３１    タッチパネル式ＬＣＤ表示部
３２    ＰＤＡキー／キーパッド
３３    スピーカ
３４    マイク
３５    受話器
３６    キー／キーパッド
３７    ＬＣＤ表示部
３８    ＰＤＡ接続コネクタ
４０    クレードル部
４１    リブ
４２    傾斜角
５００    コネクタ部
６０    スケジュール情報
６１    スケジュール内容
６２    有効フラグ
６３    連絡先
６４    開始予定時刻
６５    終了予定時刻
７０    ＬＡＮ
７１    ＩＰ電話交換機
７３    認証サーバ
７４    ルータ
７５    ＷＡＮ
【図１】
2004336140.tif 000003
【図２】
2004336140.tif 000004
【図３】
2004336140.tif 000005
【図４】
2004336140.tif 000006
【図５】
2004336140.tif 000007
【図６】
2004336140.tif 000008
【図７】
2004336140.tif 000009
【図８】
2004336140.tif 000010
【図９】
2004336140.tif 000011
【図１０】
2004336140.tif 000012